(57)【要約】【課題】不適合品のフラッパ弁の誤取付を防止することができる上に、フラッパ弁開閉速度が変化しなくなることから、洗浄水排出量がばらつくことがなく、一定量の洗浄水を排出できる排水弁装置を提供すること。【解決手段】便器の洗浄水を貯える洗浄水タンク１０に配設される排水弁装置３０であって、水平に突出した一対の支軸３９が設けられ、排水弁座３７ａを有する排水弁本体部３０ａなどを備え、前記排水弁本体部３０ａに、前記支軸３９に対するフラッパ弁３４の係合する範囲を規制する突起部３９ａを設け、この突起部３９ａは、少なくとも前記フラッパ弁３４が排水経路３７ｂを閉鎖している場合は、前記フラッパ弁３４の前記係合部５３と当接し、前記フラッパ弁３４が引き上げられている場合は、前記フラッパ弁３４の前記係合部５３と当接しないよう構成する。【選択図】図１
2009243239.tif 000002
【特許請求の範囲】
【請求項１】
便器を洗浄するための洗浄水を貯える洗浄水タンクに配設される排水弁装置であって、
水平に突出した一対の支軸が設けられ、前記洗浄水タンクの底部に形成された排水口に取り付けられて便器への排水経路を形成する排水弁座を有する排水弁本体部と、
上下揺動自在に前記支軸に係合する一対の係合部を有し、前記排水弁座の座面に離接することにより前記排水経路を開閉するフラッパ弁と、
を備え、
前記排水弁本体部に、前記支軸に対する前記フラッパ弁の係合する範囲を規制する突起部を設け、この突起部は、少なくとも前記フラッパ弁が前記排水経路を閉鎖している場合は、前記フラッパ弁の前記係合部と当接し、前記フラッパ弁が引き上げられている場合は、前記フラッパ弁の前記係合部と当接しないことを特徴とする排水弁装置。
【請求項２】
前記突起部は、前記支軸における先端から所定距離の位置に、下方へ向けて突設されていることを特徴とする請求項１記載の排水弁装置。
【請求項３】
便器を洗浄するための洗浄水を貯える洗浄水タンクに配設される排水弁装置であって、
水平に突出した一対の支軸が設けられ、前記洗浄水タンクの底部に形成された排水口に取り付けられて便器への排水経路を形成する排水弁座を有する排水弁本体部と、
上下揺動自在に前記支軸に係合する一対の係合部を有し、前記排水弁座の座面に離接することにより前記排水経路を開閉するフラッパ弁と、
を備え、
前記排水弁本体部は、前記フラッパ弁の前記一対の係合部が係合する前記一対の支軸のうち、前記フラッパ弁が引き上げられる方向と同側の支軸にのみ突起部を設け、この突起部により、前記支軸に対する前記フラッパ弁の係合する範囲を規制することを特徴とする排水弁装置。
【請求項４】
便器を洗浄するための洗浄水を貯える洗浄水タンクと、
水平に突出した一対の支軸が設けられ、前記洗浄水タンクの底部に形成された排水口に取り付けられて便器への排水経路を形成する排水弁座を有する排水弁本体部と、
上下揺動自在に前記支軸に係合する一対の係合部を有し、前記排水弁座の座面に離接することにより前記排水経路を開閉するフラッパ弁と、
前記フラッパ弁を、外部操作により引き上げて前記排水経路を開閉する操作部と、
この操作部と前記フラッパ弁とを連結する線状連結部材と、
を具備する便器洗浄用タンク装置において、
前記排水弁本体部は、前記フラッパ弁の前記一対の係合部が係合する前記一対の支軸のうち、片側の支軸に下向きに突起部を設け、この突起部により、前記支軸に対する前記フラッパ弁の係合する範囲を規制することを特徴とする便器洗浄用タンク装置。
【発明の詳細な説明】
【技術分野】
【０００１】
本発明は、排水弁装置及びその排水弁装置を取り付けた便器洗浄用タンク装置に関する。特に、排水弁装置において、フラッパ弁の係合範囲を規制することに関する。
【背景技術】
【０００２】
従来より、便器を洗浄するための洗浄水を貯える洗浄水タンク内において、洗浄水を吐出する排水口の開閉を行うフラッパ弁は、長い期間に亘って使用されると、水及び水圧にさらされることや繰り返し開閉作動することによって劣化したり摩耗したりする。
【０００３】
このことから、劣化したフラッパ弁は、変形したりピンホールが形成されたりすることによって、水密性が保持できなくなり、水漏れの原因となることがあった。そのため、劣化したフラッパ弁は、交換されて、新しいフラッパ弁に置き換えられる。
【０００４】
通常、フラッパ弁は、便器を洗浄するための洗浄水を貯える洗浄水タンクの排水口に配設される排水弁装置において、その排水弁装置の構成要素であるオーバーフロー管の下側部あるいは排水弁座に突設された支軸に係合枢支されていることから、フラッパ弁を交換する際、劣化したフラッパ弁の係合部を前述の支軸から取り外して、新しいフラッパ弁の係合部を前述の支軸に取り付けることによって交換される。
【０００５】
その交換作業の際に、規格品のフラッパ弁が適切に取り付けられればよいが、オーバーフロー管の下側部の周側面あるいは排水弁座の側面に突設された支軸にはフラッパ弁の規定の係合範囲を規制する手段がない（例えば、特許文献１参照。）ことから、不適合品のフラッパ弁が誤って取り付けられることがあった。
【０００６】
そこで、不適合品のフラッパ弁の取り付けを排除するために、フラッパ弁を係合枢支する前述の支軸において、支軸の基端部、すなわち支軸のオーバーフロー管側の端部周縁にわたって突起部を設けた支軸が開発されている。
【０００７】
つまり、支軸の基端部の周縁にわたって設けられた突起部と不適合品のフラッパ弁の係合部とが干渉することから、不適合品のフラッパ弁は、同支軸に誤って取り付けられることがない。
【特許文献１】特開平９−２９１５８０号公報
【発明の開示】
【発明が解決しようとする課題】
【０００８】
しかし、便器を洗浄するための洗浄水を貯える洗浄水タンク内に配設される排水弁装置において、その排水弁装置の構成要素であるオーバーフロー管の下側部あるいは排水弁座に突設されたフラッパ弁を取り付けるための従来の支軸は、以下の課題を有している。
【０００９】
つまり、前述のようなフラッパ弁を係合枢支する一対の両支軸の基端部周縁にわたって不適合品のフラッパ弁排除用の突起部が設けられた支軸は、規格品のフラッパ弁を取り付けて、その取り付けたフラッパ弁を左右斜め上下方向に揺動しフラッパ弁を開閉作動させると、引き上げ方向と反対側の係合部と該突起部とが接触し干渉することによってフラッパ弁開閉速度が変化し、洗浄水排出量がばらつくという欠点があった。
【課題を解決するための手段】
【００１０】
そこで、本発明は、便器を洗浄するための洗浄水を貯える洗浄水タンクに配設される排水弁装置であって、水平に突出した一対の支軸が設けられ、前記洗浄水タンクの底部に形成された排水口に取り付けられて便器への排水経路を形成する排水弁座を有する排水弁本体部と、上下揺動自在に前記支軸に係合する一対の係合部を有し、前記排水弁座の座面に離接することにより前記排水経路を開閉するフラッパ弁とを備え、前記排水弁本体部に、前記支軸に対する前記フラッパ弁の係合する範囲を規制する突起部を設け、この突起部は、少なくとも前記フラッパ弁が前記排水経路を閉鎖している場合は、前記フラッパ弁の前記係合部と当接し、前記フラッパ弁が引き上げられている場合は、前記フラッパ弁の前記係合部と当接しないことを特徴とする排水弁装置を提供するものである。
【００１１】
更には、前記突起部は、前記支軸における先端から所定距離の位置に、下方へ向けて突設されていることにも特徴を有する。
【００１２】
また、便器を洗浄するための洗浄水を貯える洗浄水タンクに配設される排水弁装置であって、水平に突出した一対の支軸が設けられ、前記洗浄水タンクの底部に形成された排水口に取り付けられて便器への排水経路を形成する排水弁座を有する排水弁本体部と、上下揺動自在に前記支軸に係合する一対の係合部を有し、前記排水弁座の座面に離接することにより前記排水経路を開閉するフラッパ弁とを備え、前記排水弁本体部は、前記フラッパ弁の前記一対の係合部が係合する前記一対の支軸のうち、前記フラッパ弁が引き上げられる方向と同側の支軸にのみ突起部を設け、この突起部により、前記支軸に対する前記フラッパ弁の係合する範囲を規制することを特徴とする排水弁装置を提供するものである。
【００１３】
また、便器を洗浄するための洗浄水を貯える洗浄水タンクと、水平に突出した一対の支軸が設けられ、前記洗浄水タンクの底部に形成された排水口に取り付けられて便器への排水経路を形成する排水弁座を有する排水弁本体部と、上下揺動自在に前記支軸に係合する一対の係合部を有し、前記排水弁座の座面に離接することにより前記排水経路を開閉するフラッパ弁と、前記フラッパ弁を、外部操作により引き上げて前記排水経路を開閉する操作部と、この操作部と前記フラッパ弁とを連結する線状連結部材とを具備する便器洗浄用タンク装置において、前記排水弁本体部は、前記フラッパ弁の前記一対の係合部が係合する前記一対の支軸のうち、片側の支軸に下向きに突起部を設け、この突起部により、前記支軸に対する前記フラッパ弁の係合する範囲を規制することを特徴とする便器洗浄用タンク装置を提供するものである。
【発明の効果】
【００１４】
請求項１記載の本発明によれば、前記排水弁本体部に、前記支軸に対する前記フラッパ弁の係合する範囲を規制する突起部を設けたことから、不適合品のフラッパ弁の係合部と突起部とが干渉することによって、不適合品のフラッパ弁の誤取付を防止することができ、適合品のみを取り付けることができる。そして、取り付けられた適合品のフラッパ弁の係合部は、少なくとも前記フラッパ弁が前記排水経路を閉鎖している場合は、前記突起部と当接することがあるが、前記フラッパ弁が引き上げられている場合は、前記突起部と当接しないことから、規格品のフラッパ弁の係合部は、フラッパ弁開閉作動時においては、左右とも突起部に接触し難くなり、フラッパ弁が円滑に開閉作動し、フラッパ弁開閉速度が変化しなくなることから、洗浄水排出量がばらつくことがなく、一定量の洗浄水を排出できる効果がある。
【００１５】
請求項２記載の本発明によれば、前記突起部は、前記支軸における先端から所定距離の位置に、下方へ向けて突設されていることから、前述の効果に加え、フラッパ弁を左右斜め上下方向に揺動させながら開閉作動させた場合、フラッパ弁の係合部と支軸にある突起部とがより確実に接触しなくなり、フラッパ弁が円滑に開閉作動し、フラッパ弁開閉速度が変化しなくなることから、洗浄水排出量がばらつくことがなく、より確実に一定量の洗浄水を排出できる効果がある。また、突起部を支軸に突設する形態としたことから、支軸と突起部との位置関係に注意を払うことなく一体成形が可能となり、生産性が向上し、コスト上に有利となる効果がある。
【００１６】
請求項３記載の本発明によれば、前記排水弁本体部は、前記フラッパ弁の前記一対の係合部が係合する前記一対の支軸のうち、前記フラッパ弁が引き上げられる方向と同側の支軸にのみ突起部を設け、この突起部により、前記支軸に対する前記フラッパ弁の係合する範囲を規制することから、不適合品のフラッパ弁の係合部と突起部とが干渉することによって、不適合品のフラッパ弁の誤取付を防止することができる。また、規格品のフラッパ弁が引き上げられる際、引き上げ方向側の係合部は、突起部から離反する方向にずれ、引き上げ方向と反対側の係合部は、突起部がないので、当然係合部と突起部とが接触しない。このことから、フラッパ弁が円滑に開閉作動し、フラッパ弁開閉速度が変化しなくなることから、洗浄水排出量がばらつくことがなく、より確実に一定量の洗浄水を排出できる効果がある。更に、支軸と突起部との位置関係に注意を払うことなく一体成形が可能となる上に突起部を支軸の片方にのみ形成すればよいので、より容易に生産することができ、より生産コストを低減する効果がある。
【００１７】
請求項４記載の本発明によれば、前記排水弁本体部は、前記フラッパ弁の前記一対の係合部が係合する前記一対の支軸のうち、片側の支軸に下向きに突起部を設け、この突起部により、前記支軸に対する前記フラッパ弁の係合する範囲を規制することから、不適合品のフラッパ弁の係合部と突起部とが干渉することによって、不適合品のフラッパ弁の誤取付を防止することができる。更に、規格品のフラッパ弁を左右斜め上下方向に揺動しフラッパ弁を開閉作動させる際、その斜め上下方向の角度が大きくても、まず、引き上げ方向と反対側に突起部がある場合、引き上げ方向側の係合部は、当然突起部がないので、接触しない。一方で、引き上げ方向と反対側の係合部は、その上半部が、こじられるものの、突起部が下向きに設けられているので、接触せず、その下半部が、突起部から離反するようにこじられるので、突起部に接触しない。また、引き上げ方向側に突起部がある場合、引き上げ方向側の係合部は、突起部から離反する方向にずれるので接触しない。一方で、引き上げ方向と反対側の係合部は、当然突起部がないので、接触しない。これらのことから、どちらの場合においても、フラッパ弁が円滑に開閉作動し、フラッパ弁開閉速度が変化しなくなることから、洗浄水排出量がばらつくことがなく、一定量の洗浄水を排出できる効果がある。更に、支軸と突起部との位置関係に注意を払うことなく一体成形が可能となる上に突起部を支軸の片方にのみ形成すればよいので、より容易に生産することができ、より生産コストを低減する効果がある。
【発明を実施するための最良の形態】
【００１８】
本発明では、便器を洗浄するための洗浄水を貯える洗浄水タンクに配設される排水弁装置であって、水平に突出した一対の支軸が設けられ、前記洗浄水タンクの底部に形成された排水口に取り付けられて便器への排水経路を形成する排水弁座を有する排水弁本体部と、上下揺動自在に前記支軸に係合する一対の係合部を有し、前記排水弁座の座面に離接することにより前記排水経路を開閉するフラッパ弁とを備え、前記排水弁本体部に、前記支軸に対する前記フラッパ弁の係合する範囲を規制する突起部を設け、この突起部は、少なくとも前記フラッパ弁が前記排水経路を閉鎖している場合は、前記フラッパ弁の前記係合部と当接し、前記フラッパ弁が引き上げられている場合は、前記フラッパ弁の前記係合部と当接しないよう構成する。
【００１９】
更に、前記突起部は、前記支軸における先端から所定距離の位置に、下方へ向けて突設されていることにも特徴を有する。
【００２０】
また、便器を洗浄するための洗浄水を貯える洗浄水タンクに配設される排水弁装置であって、水平に突出した一対の支軸が設けられ、前記洗浄水タンクの底部に形成された排水口に取り付けられて便器への排水経路を形成する排水弁座を有する排水弁本体部と、上下揺動自在に前記支軸に係合する一対の係合部を有し、前記排水弁座の座面に離接することにより前記排水経路を開閉するフラッパ弁とを備え、前記排水弁本体部は、前記フラッパ弁の前記一対の係合部が係合する前記一対の支軸のうち、前記フラッパ弁が引き上げられる方向と同側の支軸にのみ突起部を設け、この突起部により、前記支軸に対する前記フラッパ弁の係合する範囲を規制するよう構成する。
【００２１】
また、便器を洗浄するための洗浄水を貯える洗浄水タンクと、水平に突出した一対の支軸が設けられ、前記洗浄水タンクの底部に形成された排水口に取り付けられて便器への排水経路を形成する排水弁座を有する排水弁本体部と、上下揺動自在に前記支軸に係合する一対の係合部を有し、前記排水弁座の座面に離接することにより前記排水経路を開閉するフラッパ弁と、前記フラッパ弁を、外部操作により引き上げて前記排水経路を開閉する操作部と、この操作部と前記フラッパ弁とを連結する線状連結部材とを具備する便器洗浄用タンク装置において、前記排水弁本体部は、前記フラッパ弁の前記一対の係合部が係合する前記一対の支軸のうち、片側の支軸に下向きに突起部を設け、この突起部により、前記支軸に対する前記フラッパ弁の係合する範囲を規制するよう構成する。
【実施例】
【００２２】
以下に、本発明の実施例について図面を参照しながら説明する。図１は本発明に適用した便器洗浄用タンク装置１００の概略を示す図であって、排水前の正面断面図である。
【００２３】
図１に示すように、便器洗浄用タンク装置１００は、図示しない便器に装着されて、この便器の種類に応じて洗浄水タンク１０からの排水量を調整するものであり、例えば、排水量を小水量（例えば、６Ｌ）と大水量（例えば、８Ｌ）との間で切替える調整を行うものである。この便器洗浄用タンク装置１００は、図示しない便器へ供給するための洗浄水を貯留する。洗浄水タンク１０と、洗浄水タンク１０内に水を供給して貯える給水装置２０と、洗浄水タンク１０内に貯えられた便器を洗浄するための洗浄水を図示しない便器に向けて排出する排水弁装置３０とを有している。
【００２４】
洗浄水タンク１０は、外観視略矩形箱状を形成しており、図示しない給水源から供給された洗浄水を貯留すると共に、この洗浄水を図示しない便器へ向けて排水するためのものである。
【００２５】
給水装置２０は、洗浄水タンク１０の底部１０ａから鉛直上方に向けて延設され図示しない給水源と接続された給水管２１と、給水管２１の上端部に配設された給水管２１から洗浄水タンク１０へ吐水・止水を切替える給水バルブ２２と、洗浄水タンク１０内の水位の変動に応じた上下動に伴って給水バルブ２２による吐水・止水の切替えを行うフロート部２３とを有している。
【００２６】
給水装置２０は、また、その一端をダイヤフラム式の弁内蔵の給水バルブ２２の上端に回動自在に支持され、回動によって給水バルブ２２の開閉を切替えることで給水バルブ２２から吐水・止水を切替えると共に、他端にフロート部２３を吊支したテコ式レバー２４とを有し吐水管２７により給水バルブ２２の側面に突設され給水バルブ２２からの吐水を洗浄水タンク１０の底部１０ａに向けて下方に吐水する。
【００２７】
給水管２１は、図示しない給水源に接続され、給水源からの水圧によって、洗浄水タンク１０に向けて吐水を行うようになっている。
【００２８】
フロート部２３は、洗浄水タンク１０内の洗浄水の水位が低下したときに下降することによりテコ式レバー２４を介して給水バルブ２２を開く一方で、洗浄水タンク１０内の洗浄水の水位が上昇したときに上昇することにより給水バルブ２２を閉じるように上下動するようになっている。
【００２９】
吐水管２７は、吐水を行う方向である下方に向けて開口している。この吐水管２７から吐水された洗浄水は、排水弁装置３０による排水により水位が低下した洗浄水タンク１０内に補充され、これにより、洗浄水タンク１０内が所定の満水時の水位に維持されるようになっている。吐水管２７は、また、その中途位置で分岐して後述のオーバーフロー管３８の上端開口３８ａに向けて延出し、この上端開口３８ａから所定の距離だけ下方に挿通されるリフィール管２８を有している。
【００３０】
従って、給水装置２０においては、排水弁装置３０により、洗浄水タンク１０内の洗浄水が便器に向けて排水されると、水位の低下に伴ってフロート部２３が下降し、テコ式レバー２４が下方に回動して給水バルブ２２が開き、吐水管２７から吐水が開始され、洗浄水タンク１０へ給水が開始される。一方、給水の継続により水位が上昇するのに伴い、フロート部２３が上昇し、テコ式レバー２４が上方に回動して給水バルブ２２が閉じ、吐水管２７の止水が実行される。これにより、洗浄水タンク１０内を所定の満水時の水位に維持する。
【００３１】
次に、排水弁装置３０について説明する。排水弁装置３０は、図１に示すように、洗浄水タンク１０の側壁に支持された操作レバー装置３１と、一端を操作レバー装置３１に固定され洗浄水タンク１０内に略水平方向に延在し操作レバー装置３１の操作に伴って回転する回転軸３２とを有している。
【００３２】
排水弁装置３０は、また、回転軸３２の他端から垂下された連結部としての線状連結部材３３と、線状連結部材３３の下端が係止されたフラッパ弁３４と、フラッパ弁３４から上方に所定の距離をおいて線状連結部材３３に固定されたフロート３５と、フロート３５の上方にて線状連結部材３３に係止された係止部材としての止輪３５ａと、線状連結部材３３のフロート３５とフラッパ弁３４との間に所定の幅を持って介設され、止輪３５ａと共にフロート３５を挟持するスリーブ３６と、洗浄水タンク１０の底部１０ａに配設されフラッパ弁３４によって開閉される排水口３７と、排水口３７の周縁部上面に形成された排水弁座３７ａ及びこの排水弁座３７ａの内部通路である排水経路３７ｂに連通連設したオーバーフロー管３８からなる排水弁本体部３０ａとを有している。
【００３３】
オーバーフロー管３８は、洗浄水タンク１０内の過剰な洗浄水を排水するものであり、略円筒形状に形成されており、フラッパ弁３４で開閉する排水口３７の周縁部上面に形成された排水弁座３７ａの排水経路３７ｂの横側方に横管を介して連通連設されている。本実施形態では、このオーバーフロー管３８の下端部に、前記フラッパ弁３４を上下に回動自在に支持している。
【００３４】
洗浄水タンク１０の側壁に所定の固定具を介して回転自在に支持された操作レバー装置３１は、便器洗浄用タンク装置１００の使用者の回転動作を回転軸３２に伝達する操作レバー３１ａと、回転動作後の操作レバー３１ａ及び回転軸３２が元の位置に戻る際に抵抗力を発生させるダンパ機能を備えた操作レバー調整部３１ｂとを有している。
【００３５】
線状連結部材３３は、その上端を回転軸３２の操作レバー３１ａが接続された端部と反対側の端部に係止されており、下端をフラッパ弁３４の上面に接続されており、操作部が受けた前述の操作をフラッパ弁３４に伝達するために、操作部とフラッパ弁３４とを連結している。操作部の操作により、回転軸３２の回転を介して線状連結部材３３が上方に引き上げられると、これによってフラッパ弁３４が上方へ引き上げられる。このとき、線状連結部材３３は、フラッパ弁３４の上面に接続され、フラッパ弁３４を上方へ引き上げる紐状の引き上げ部材として機能する。
【００３６】
フラッパ弁３４は、例えば、合成樹脂等の弾性のある素材で形成されており、その放射方向外側の下面に排水口３７の排水弁座３７ａ上端の座面に着座するシール面３４ａを備えた外観視略円板状の弁体５１と、一端で弁体５１を支持し、他端においてオーバーフロー管３８下端部に突設された左右一対の支軸３９に上下回動自在に枢支した一対の伸延連結部５２とを有している。
【００３７】
このように、フラッパ弁３４は、オーバーフロー管３８の下端部に突設された左右一対の支軸３９に枢支され、この支軸３９を中心として上下に回動することにより排水口３７の排水弁座３７ａの排水経路３７ｂを開閉するようになっている。
【００３８】
すなわち、フラッパ弁３４を、左右一対の支軸３９を中心として上方に回動してシール面３４ａを排水口３７の排水弁座３７ａ上端の座面から離反することにより、図２に示す排水口３７を開放した状態となる。一方、この開放状態からフラッパ弁３４を、支軸３９を中心として下方に回動してシール面３４ａを排水口３７の排水弁座３７ａ上端の座面に着座することにより、図１に示す排水口３７を閉塞した状態となる。
【００３９】
排水口３７は、洗浄水タンク１０の底部１０ａの略中央に、底部１０ａから所定の高さを持って配設されており、フラッパ弁３４の開弁状態で洗浄水タンク１０内の洗浄水を図示しない配管を介して便器に向かって排水するようになっている。
【００４０】
オーバーフロー管３８は、前述のようにその下端部が、横管及び排水経路３７ｂを介して排水口３７に連通しており、その上端開口３８ａから洗浄水タンク１０内の過剰な洗浄水、すなわち満水時の水位を超える分の洗浄水を、排水口３７を介して排水するようになっている。また、オーバーフロー管３８は、その上端の上端開口３８ａから所定の距離だけ下方に挿通されたリフィール管２８から供給される水を、便器に備えられた図示しないトラップ部を満たすために供給するようになっている。
【００４１】
以上のように構成された便器洗浄用タンク装置１００において、排水動作は、次のようになされる。
【００４２】
図１に示すように、便器洗浄用タンク装置１００は、洗浄水タンク１０内に貯留している洗浄水の水位が満水時の水位となっており、フラッパ弁３４の閉弁状態としている。この状態では、フロート３５は、洗浄水中に没した状態であり浮力を生じている。フロート３５は、満水時の水位にある洗浄水の水圧に基づきフラッパ弁３４に対して加える略鉛直下方の力より小さい浮力しかフラッパ弁３４に加えないから、フラッパ弁３４は、フロート３５の浮力が加えられても閉弁状態を維持している。
【００４３】
この状態から、図示しない便器の洗浄をするために、操作レバー３１ａを回転させると、回転軸３２の回転を介して線状連結部材３３が上方に引き上げられ、これによりフラッパ弁３４の一端が引き上げられる。
【００４４】
そして、フラッパ弁３４は、図２に示すように、左右一対の支軸３９を中心として上方に回動して、排水口３７を開放した開弁状態となり、排水口３７から図示しない便器への洗浄水の排水が開始され、洗浄水タンク１０内の洗浄水の水位は、満水時の水位から低下し始める。
【００４５】
その後、洗浄水タンク１０内の洗浄水の水位が低下し所定の高さ位置に到達するまでの間、フロート３５の浮力により、フラッパ弁３４の開弁状態が維持される。
【００４６】
洗浄水の水位がフロート３５の高さ位置に到達し、フロート３５の一部が水面から露出した状態となると、フロート３５の浮力は急激に減少して、排水口３７の吸引力によりフラッパ弁３４は、左右一対の支軸３９を中心として下方に回動して、排水口３７を閉塞した閉弁状態となる。すなわち、排水口３７には、洗浄水の流出により、フラッパ弁３４を下方に回動させるような負圧が発生するから、この負圧による力を受けてフラッパ弁３４が閉弁状態となる。
【００４７】
フラッパ弁３４が閉弁状態となることにより、排水口３７から便器への洗浄水の排水が終了し、このときの洗浄水の水位は、小水量洗浄の場合には、小水量洗浄水時における死水時の水位となっている。
【００４８】
上記のように構成された便器洗浄用タンク装置１００において、本発明の要旨となるのは、突起部３９ａを設けたことにある。
【００４９】
以下、具体的に本発明の要旨の実施例を詳説する。
【００５０】
図１に示すように、排水口３７の周縁部上面に形成された排水弁座３７ａの側壁中途には、オーバーフロー管３８下部のエルボ状の横管が連通連設されて、一体となって排水弁座３７ａを構成している。すなわち、排水弁座３７ａの横側方には横管を介してオーバーフロー管３８が立設されている。オーバーフロー管３８の継管下部の両側面には、左右一対の支軸３９が突設されており、この一対の支軸３９に排水弁座３７ａの排水経路３７ｂを開閉するためのフラッパ弁３４が枢支連結されている。なお、一対の左右支軸３９は、排水弁座３７ａの横側方上部の両側面に突設されることもある。つまり、フラッパ弁３４が枢支係合する左右一対の支軸３９は、排水弁本体部３０ａに突設される。
【００５１】
すなわち、図３に示すように、フラッパ弁３４は、その基部において左右一対の伸延連結部５２が連設され、その各先端には、左右一対の伸延連結部５２と左右一対の支軸３９とを連結するための係合部５３がそれぞれ形成されている。
【００５２】
係合部５３は、伸延連結部５２に比し、膨大部としており、中央に支軸挿貫用の軸孔５４を穿設し、軸孔５４は、下方を一部切欠して支軸３９の自由端から挿入しやすくしている。
【００５３】
なお、支軸３９の自由端は、係合部５３の離脱防止のため上方に折曲したストッパ３９ｂを設けている。
【００５４】
また、図４に示すように、一対の支軸３９の軸芯よりも上側部の一部を除いた位置には、突起部３９ａを設け、一対の支軸３９上におけるフラッパ弁３４を規定の係合範囲を規制しており、規定規格外のフラッパ弁３４、すなわち不適合品のフラッパ弁３４を装着しようとしても突起部３９ａの位置が干渉して規定外の不適合であるフラッパ弁３４の係合部５３を支軸３９に装着できないようにしている。
【００５５】
このように、突起部３９ａにより、一対の支軸３９上におけるフラッパ弁３４の規定の係合範囲を規制することができ、例えば、洗浄水タンク１０の底部１０ａの排水口３７に設けた排水弁座３７ａに適合しないフラッパ弁３４を誤って取替え装着しようとしても、突起部３９ａの位置が支軸３９上におけるフラッパ弁３４の規定の係合範囲を予め規制しているため、不適合品のフラッパ弁３４は、この突起部３９ａが干渉して支軸３９に取替え装着ができないことになっている。そして、取り付けられた適合品のフラッパ弁３４の係合部５３は、前記フラッパ弁３４が前記排水経路３７ｂを閉鎖している場合は、前記突起部３９ａと当接することがあったとしても、少なくとも前記フラッパ弁３４が引き上げられている場合は、前記突起部３９ａと当接しない。このことから、規格品のフラッパ弁３４の係合部５３は、フラッパ弁３４開閉作動時においては、左右とも突起部３９ａに接触し難くなり、フラッパ弁３４が円滑に開閉作動し、フラッパ弁３４の開閉速度が変化しなくなることから、洗浄水排出量がばらつくことがなく、一定量の洗浄水を排出できる。
【００５６】
しかも、突起部３９ａは、支軸３９の軸芯よりも上側部の一部を除いた位置に設けられているため、図１１と図１２に示すように、フラッパ弁３４が排水弁座３７ａの排水経路３７ｂ開閉の操作にともなって開閉揺動する際に斜め方向からの開弁操作応力が付与されて、斜め引き上げ方向の反対側支軸においては、フラッパ弁３４に偏奇荷重がかかっても、支軸３９の下方向きの突起部３９ａにフラッパ弁３４の係合部５３が当接しにくくなり、フラッパ弁３４の開閉にともなう係合部５３の回動に干渉することなく、円滑にフラッパ弁３４の開閉弁操作が行え、洗浄水タンク１０からの適量の排水が行えるものである。
【００５７】
また、フラッパ弁３４が引き上げられる斜め方向側の支軸３９においては、支軸３９に突設した突起部３９ａと支軸先端のストッパ３９ｂとの間では、その間に係合部５３を係合しても一定の余裕のある幅員としているため、係合部５３は、ストッパ３９ｂ側に逃げて突起部３９ａと離反して接触しない。
【００５８】
なお、フラッパ弁３４の開弁時の斜め引き上げ方向側の支軸３９において、係合部５３の突起部３９ａ側の面が、支軸３９の軸芯より下半部が突起部３９ａ側に傾き、係合部５３の下半部と突起部３９ａ側面とが接触する場合が生起する場合が仮にあっても、係合部５３の下半部、すなわち、伸延連結部５２に連設した係合部５３の最先端部５３ａが突起部３９ａ側面に接触する際、係合部５３の最先端部は、支軸３９を中心とした回動時のトルクが最大となり、少々の下方突出の突起部３９ａ側面との接触がフラッパ弁３４の開弁動作に支障とならない。
【００５９】
前述における、支軸３９の軸芯よりも上側部の一部を除いた位置とは、フラッパ弁３４を斜め上下方向に揺動させながら開閉作動させた場合において、フラッパ弁３４の係合部５３が支軸３９を中心に回動する際に支障とはならない位置をいう。すなわち、係合部５３と突起部３９ａとが略干渉しない位置をいう。
【００６０】
以下に、支軸３９の軸芯よりも上側部の一部を除いた位置に突起部３９ａを形成した変形例について説明する。
【００６１】
図５は、第一変形例を示すものであり、左右一対の支軸３９に左右の突起部３９ａを下方に突設する点では、前述の実施例と同様であるが、本変形例では、左右の突起部３９ａが左右の支軸３９の基部下側面と支軸基部が連設されたオーバーフロー管３８の周側面とにわたって突起部３９ａが設けられていることに特徴を有する。
【００６２】
すなわち、左右の突起部３９ａは、フラッパ弁３４の規定の規格大きさ、換言すれば、規定の左右伸延連結部５２の間隔に合致する左右の左右位置に配設されており、かつ、オーバーフロー管３８の周側面にまたがって支軸基部下方に突設されていることになる。
【００６３】
かかる構成とすることにより、オーバーフロー管３８への支軸３９の連設部分を補強することができ、かつ、フラッパ弁３４の係合部５３とのこじりを解消して、斜め上方に引き上げ開弁されるフラッパ弁３４の開閉弁操作を円滑にして排水機能を正しく果たすことができるようになる。
【００６４】
このことから、フラッパ弁３４の開閉速度が変化しなくなることから、洗浄水排出量がばらつくことがなく、洗浄水タンク１０から一定量の洗浄水を排出できる。
【００６５】
前記した実施例及び第一変形例、すなわち、突起部３９ａを支軸３９下方に突設する形態とした場合は、一体成形が可能となり生産性が向上し、コスト上に有利となり、更には、例えば、オーバーフロー管３８や排水弁座３７ａに突起部３９ａを形成する場合に比し係合範囲規制のための支軸３９と突起部３９ａとの位置関係に注意を払うことなく一体成形時にこれらの位置関係が完成する効果がある。
【００６６】
また、図６に示すものは、第二変形例であり、左右の突起部３９ａを支軸３９ではなく、オーバーフロー管３８の周側面に支軸３９に沿って支軸３９の下方位置において突設するものである。
【００６７】
すなわち、この第二変形例の突起部３９ａは、その左右長さを規格適合のフラッパ弁３４における伸延連結部５２の係合部５３の間隔と合致する長さとしており、しかも、支軸３９の下側面との間に一定間隔を保持して支軸３９の長手方向に沿って支軸基部下方のオーバーフロー管３８の周側面に突設している。
【００６８】
かかる構成とすることにより、この突起部３９ａによって、規格適合のフラッパ弁３４の係合部５３のみしか支軸３９に係合することができず、しかも、支軸３９の下方に一定の間隔を保持して突起部３９ａが配設されているので、フラッパ弁３４の斜め上方引き上げによる開弁操作により係合部５３の最先端部５３ａが回動してもフラッパ弁３４の斜め上方引き上げ方向とは反対側の支軸３９においては突起部３９ａ側の係合部５３側面は、下方位置にある突起部３９ａ側面と接することはなく、また、フラッパ弁３４の斜め引き上げ方向側の支軸３９においては、一般に支軸３９先端部のストッパ３９ｂ方向に係合部５３が逃げるので突起部３９ａと接することはないが、仮に、突起部３９ａ側面と係合部５３の下半部側面とが接触することがあっても、突起部３９ａの位置がフラッパ弁３４の規定の係合範囲内において可及的下方に位置することになるため、接触面積は小さく、かつ、係合部５３の下半部、すなわち係合部最先端部５３ａの回転トルクが大きいことから係合部５３の回動、すなわち、フラッパ弁３４の開閉弁作動に支障とならない。
【００６９】
このことから、フラッパ弁３４が円滑に開閉作動し、フラッパ弁３４の開閉速度が変化しなくなり、その結果として洗浄水排出量がばらつくことがなく、洗浄水タンク１０から一定量の洗浄水を排出できる。
【００７０】
前記した実施例や第一変形例や第二変形例においては、左右一対の支軸３９に、左右一対の突起部３９ａを下方向きに突設し、あるいは突起部３９ａを支軸３９下方において支軸３９に沿ってオーバーフロー管３８の周側面に突設したものを例示したが、突起部３９ａは左右一対に設ける場合以外に、片方にだけ設けることも可能である。
【００７１】
すなわち、図７に示すものは、第三変形例であり、線状連結部材３３によりフラッパ弁３４を斜め上方に引き上げて開弁する場合に、フラッパ弁３４の引き上げ方向と反対側に位置する支軸３９にのみ突起部３９ａを下向きに突設し、あるいはフラッパ弁３４の引き上げ方向と反対側に位置する支軸３９に沿ってその下方のオーバーフロー管３８周側面にのみ突起部３９ａを突設することができる。
【００７２】
かかる片方の突起部３９ａにおいては、フラッパ弁３４の規定の係合範囲を規制することができると同時に、フラッパ弁３４開弁時の係合部５３の回動に突起部３９ａが干渉することなく円滑にフラッパ弁３４の開弁作動が可能となるものであり、特に、他方の係合部５３には、突起部３９ａが全く存在しないため、フラッパ弁３４の引き上げ方向において係合部５３が傾斜回動しても、その動きに支障となるものがなく、フラッパ弁３４の開弁作動がより円滑に行えるものである。
【００７３】
また、片方だけの突起部３９ａの変形例においては、前記したように線状連結部材３３によりフラッパ弁３４を斜め上方に引き上げて開弁する場合において、引き上げ方向と反対側に位置する支軸３９にのみ、あるいは反対側の支軸３９下方においてオーバーフロー管３８周側面にのみ突起部３９ａを下方に向けて設ける第三変形例以外に、図８に示すように、第四変形例として、フラッパ弁３４の斜め上方引き上げ方向側の支軸３９にのみ、あるいは、その支軸３９の下方においてオーバーフロー管３８周側面にのみ突起部３９ａを設けることも可能である。
【００７４】
すなわち、フラッパ弁３４引き上げ方向側の支軸３９に関連して突起部３９ａを設ける場合、係合部５３は、フラッパ弁３４引き上げ方向側に逃げて引き上げ方向側の支軸３９先端部であるストッパ３９ｂに移動しがちとなり、可及的に突起部３９ａから離反する動きとなり、仮に係合部５３の先端から回転時に突起部３９ａに一部接触しても、その係合部５３先端の回動トルクは大きいためフラッパ弁３４の開弁操作に支障とならない。
【００７５】
このことから、フラッパ弁３４が円滑に開閉作動し、フラッパ弁３４の開閉速度が変化しなくなることから、洗浄水排出量がばらつくことがなく、洗浄水タンク１０から一定量の洗浄水を排出できる。更に、支軸３９と突起部３９ａとの位置関係に注意を払うことなく一体成形が可能となる上に突起部３９ａを支軸３９の一方にのみ形成すればよいので、より容易に生産することができ、より生産コストを低減する効果がある。
【００７６】
図９は、第五変形例を示すものであり、左右の突起部３９ａが左右の支軸３９の基部下側面と支軸基部が連設されたオーバーフロー管３８の周側面とにわたって突起部３９ａが形成されている点では、前述の第一変形例と同様であるが、本変形例では、支軸３９の軸芯より上側部の一部を除いた位置にまで突起部３９ａが設けられていることに特徴を有する。
【００７７】
すなわち、左右の突起部３９ａは、フラッパ弁３４の規定の規格大きさ、換言すれば、規定の左右伸延連結部５２の間隔に合致する左右の左右位置に配設されており、かつ、オーバーフロー管３８周側面にまたがって支軸基部下方に突設され、更に、支軸３９の軸芯より上側部の一部を除いた位置にまで形成されている。
【００７８】
かかる構成とすることにより、オーバーフロー管３８への支軸３９の連設部分をより確実に補強することができ、かつ、フラッパ弁３４の係合部５３とのこじりを解消して、斜め上方に引き上げ開弁されるフラッパ弁３４の開閉弁操作を円滑にして排水機能を正しく果たすことができるようになる。
【００７９】
つまり、フラッパ弁３４の開閉速度が変化しなくなることから、洗浄水排出量がばらつくことがなく、洗浄水タンク１０から一定量の洗浄水を排出できる。
【００８０】
また、図１０は、第六変形例を示すものであり、左右の突起部３９ａを支軸３９ではなく、オーバーフロー管３８の周側面に支軸３９に沿って突設する点では、第二変形例と同様であるが、本変形例では、支軸３９の軸芯よりも上側部における係合部５３と突起部３９ａとが干渉しない位置に突設したことに特徴を有する。
【００８１】
すなわち、この第六変形例の突起部３９ａは、その左右長さを規格適合のフラッパ弁３４における伸延連結部５２の係合部５３の間隔と合致する長さとしており、しかも、支軸３９の上側面との間に一定間隔を保持して支軸３９の長手方向に沿って支軸３９の中心よりも係合部５３の回動上手側、回動方向側においてオーバーフロー管３８の周側面に突設されている。
【００８２】
かかる構成とすることにより、この突起部３９ａによって、規格適合のフラッパ弁３４の係合部５３のみしか支軸３９に係合することができず、しかも、支軸３９の斜め上方に一定の間隔を保持して突起部３９ａが配設されているので、フラッパ弁３４の斜め上方引き上げによる開弁操作により係合部５３の最先端部５３ａが回動してもフラッパ弁３４の斜め上方引き上げ方向とは反対側の支軸３９においては、突起部３９ａ側の係合部５３側面は、斜め上方位置にある突起部３９ａ側面と接するが、突起部３９ａが支軸３９を中心にフラッパ弁３４とは反対側に位置することから、接触面積は小さいので、係合部５３の回動、すなわち、フラッパ弁３４の開閉弁作動に支障とならない。また、フラッパ弁３４の斜め引き上げ方向側の支軸３９においては、一般に支軸３９先端部のストッパ３９ｂ方向に係合部５３が逃げる上に、係合部５３が突起部３９ａと離反するようにこじられるので、突起部３９ａと接することはない。
【００８３】
このことから、フラッパ弁３４が円滑に開閉作動し、フラッパ弁３４の開閉速度が変化しなくなり、その結果として洗浄水排出量がばらつくことがなく、洗浄水タンク１０から一定量の洗浄水を排出できる。
【００８４】
実施例や各変形例における突起部３９ａの形状や材質は、適合する規格品のフラッパ弁３４の開閉動作において支障とならないように最適に選択される。例えば、形状については、支軸３９において下方向きに突設された突起部３９ａの形状を円柱状とすることや、突起部３９ａをオーバーフロー管３８の周側面に支軸３９に沿って支軸３９の下方位置において突設させる場合にその突起部３９ａの先端を半球状などの滑らかな形状とすることで、突起部３９ａとフラッパ弁３４の係合部５３とが接触場合の接触面積を可及的に小さくできる。
【００８５】
また、材質については、例えば、突起部３９ａと係合部５３とが接触しても円滑にフラッパ弁３４が開閉動作する合成樹脂とすることもできる。
【００８６】
このことから、フラッパ弁３４の開閉弁操作が円滑になり、その開閉速度が変化しなくなることで、洗浄水排出量がばらつくことがなく、洗浄水タンク１０から一定量の洗浄水を排出できる。
【００８７】
以上、本発明の好ましい実施形態について説明したが、本発明は係る特定の実施形態に限定されるものではなく、特許請求の範囲に記載された本発明の要旨の範囲内において、種々の変形・変更が可能である。例えば、本件発明では、突起部３９ａは、オーバーフロー管３８や排水弁座３７ａの側面に設けられているが、オーバーフロー管３８近傍の排水弁座３７ａの上端面から上向きに立設するように設けても良い。
【図面の簡単な説明】
【００８８】
【図１】本発明に適用した便器洗浄用タンク装置の排水前の正面断面を示した概略図である。
【図２】本発明に適用した便器洗浄用タンク装置の排水中の正面断面を示した概略図である。
【図３】本発明に適用した便器洗浄用タンク装置のフラッパ弁を示した図である。
【図４】本発明の実施形態にかかる突起部を示した図である。
【図５】本発明の実施形態にかかる突起部の第一変形例を示した図である。
【図６】本発明の実施形態にかかる突起部の第二変形例を示した図である。
【図７】本発明の実施形態にかかる突起部の第三変形例を示した図である。
【図８】本発明の実施形態にかかる突起部の第四変形例を示した図である。
【図９】本発明の実施形態にかかる突起部の第五変形例を示した図である。
【図１０】本発明の実施形態にかかる突起部の第六変形例を示した図である。
【図１１】本発明に適用した便器洗浄用タンク装置のフラッパ弁が斜め上方に引き上げられることを示した概略図である。
【図１２】図１１における係合部と突起部との関係を示した模式図である。
【符号の説明】
【００８９】
１０    洗浄水タンク
１０ａ  底部
２０    給水装置
２１    給水管
２２    給水バルブ
２３    フロート部
２４    テコ式レバー
２７    吐水管
２８    リフィール管
３０    排水弁装置
３０ａ  排水弁本体部
３１    操作レバー装置
３１ａ  操作レバー
３１ｂ  操作レバー調整部
３２    回転軸
３３    線状連結部材
３４    フラッパ弁
３４ａ  シール面
３５    フロート
３５ａ  止輪
３６    スリーブ
３７    排水口
３７ａ  排水弁座
３７ｂ  排水経路
３８    オーバーフロー管
３８ａ  上端開口
３９    支軸
３９ａ  突起部
３９ｂ  ストッパ
５１    弁体
５２    伸延連結部
５３    係合部
５３ａ  係合部の最先端部
５４    軸孔
１００  便器洗浄用タンク装置
【図１】
2009243239.tif 000003
【図２】
2009243239.tif 000004
【図３】
2009243239.tif 000005
【図４】
2009243239.tif 000006
【図５】
2009243239.tif 000007
【図６】
2009243239.tif 000008
【図７】
2009243239.tif 000009
【図８】
2009243239.tif 000010
【図９】
2009243239.tif 000011
【図１０】
2009243239.tif 000012
【図１１】
2009243239.tif 000013
【図１２】
2009243239.tif 000014